【事件の表示】
　特願２０１５−　２３１１２「牛の第一胃鼓脹症検出方法及び第一胃鼓脹症検出システム」拒絶査定不服審判事件〔平成２８年　８月１２日出願公開、特開２０１６−１４４４２８、請求項の数（５）〕について、次のとおり審決する。
【結　論】
　原査定を取り消す。
　本願の発明は、特許すべきものとする。
【理　由】
第１　手続の経緯　
　本願は、平成２７年２月９日の出願であって、原審におけるその後の手続の経緯は、以下のとおりである。
　平成３０年　５月１６日付け　　拒絶理由通知
（平成３０年　５月２４日発送）
　平成３０年　７月１７日　　　　意見書及び手続補正書の提出
　平成３０年１１月１２日付け　　拒絶査定
（平成３０年１１月２０日発送）
　本件はこれに対し、原査定の謄本送達から３月以内の平成３１年２月１８日に、拒絶査定不服審判の請求がされたものである。　
　
　
第２　原査定の概要　
　原査定（平成３０年１１月１２日付け拒絶査定）の概要は次のとおりである。　
　本願請求項１ないし５に係る発明は、下記引用文献１及び２に記載された発明に基いて、当業者が容易に発明できたものであるから、特許法第２９条第２項の規定により特許を受けることができない。　
　引用文献：　
　１．米国特許出願公開第２００９／０１８２２０７号明細書
　２．米国特許出願公開第２０１２／０３１００５４号明細書
第３　本願発明　
　本願請求項１ないし５に係る発明（以下、「本願発明１」等という。）は、平成３０年７月１７日付け手続補正後の特許請求の範囲の請求項１ないし５に記載された事項により特定される発明であって、以下のとおりの発明である。 
　
本願発明１
「【請求項１】
　略筒形状で、重量密度１．８〜８．０ｇｆ／ｃｍ３であり、位置変化を検出できる変位検出手段及び該変位検出手段の測定データを無線送信する無線送信手段を備えた無線センサ端末を経口投与により牛の第一胃内に留置させ、該牛個体の体外で、前記変位検出手段の測定データとして、前記無線センサ端末の長軸方向と略一致する軸方向における第一胃内での位置変化を経時的に表す波形を取得し、該波形の変動を検知することによって第一胃鼓脹症の発症の有無を検出する牛の第一胃鼓脹症検出方法。」
本願発明２
「【請求項２】
　前記無線センサ端末より送信された前記測定データを受信するとともに該受信データをデータ処理手段へ送信する中継手順を含む請求項１記載の牛の第一胃鼓脹症検出方法。」
本願発明３
「【請求項３】
　前記変位検出手段が、有機圧電薄膜で形成された圧電体を備え、圧電効果による電荷の変化により位置変化を検出する構造である請求項１又は請求項２記載の牛の鼓脹症検出方法。」
本願発明４
「【請求項４】
　前記変位検出手段が加速度センサである請求項１〜３のいずれか一項記載の牛の鼓脹症検出方法。」
本願発明５
「【請求項５】
　略筒形状で、重量密度１．８〜８．０ｇｆ／ｃｍ３であり、位置変化を検出できる変位検出手段及び該変位検出手段の測定データを無線送信する無線送信手段を備え、牛への経口投与により第一胃内に留置させる経口投与型の無線センサ端末と、
　前記無線センサ端末より送信された前記測定データを受信するとともに該受信データをデータ管理手段へ送信する中継手段と、
　前記中継手段より送信された前記測定データを処理するデータ処理手段と、を備え、
　前記測定データとして、前記無線センサ端末の長軸方向と略一致する軸方向における第一胃内での位置変化を経時的に表す波形を取得し、該波形の変動を検知することによって第一胃鼓脹症の発症の有無を検出する牛の第一胃鼓脹症検出システム。」
　
　
第４　進歩性
１　引用文献の記載 
（１）引用文献１ 
　ア　記載事項
　原査定に引用された引用文献１には、図面とともに次の事項が記載されている（各段落の後の括弧書きの仮訳、及び下線は、当審で付した。以下同様。）。　
（ア）
「【0008】
This disclosure relates 
to systems and methods for monitoring one or more animal characteristics to detect a health condition of the animal
（
本開示は、
動物の健康状態を検出するために動物の１又は複数の特性を監視するためのシステムおよび方法に関する
（イ）
「【0013】
Turning now to FIG. 1, a block diagram 100 of one embodiment of a system for monitoring one or more animal characteristics is depicted.
an ingestible bolus 10, 20 may be disposed within the body of an animal 12, 22. Bolus 10, 20 may be configured to be ingested via the esophagus 13, 23 of a ruminant animal 12, 22, such as a bovine. In this embodiment, bolus 10, 20 may be configured to have a size and density which will enable it to remain within the stomach of a bovine 12, 22, ensuring that it is not regurgitated from the animal's reticulum 14, 24 and/or rumen 15, 25.
（ここで
図１を参照すると、動物の１又は複数の特性を監視するためのシステムの一実施形態のブロック図100が示されている
体内に摂取することが可能なボーラス10、20が、動物12、22の体内に配置されている。ボーラス10、20は、牛などの反芻動物12、22の食道13、12を通じて、体内に摂取されるように構成することができる。
ボーラス10、20は、牛12、22の胃の内部に留まることができる大きさと密度とを有するように構成することができ、それにより当該動物の第二胃14、24及び／又は第一胃15、25から吐き戻されないようにすることができる。
【0014】
FIG. 1 shows ingestible bolus 10 within reticulum 14 of ruminant animal 12 and ingestible bolus 20 within rumen 24 of ruminant animal 22. Ingestible bolus 10, 20 may be maintained in any stomach and/or stomach chamber capable of holding bolus 10, 20. Bolus 10, 20 may be capable of remaining in the animal's reticulum 14, 24 and/or rumen 15, 25 throughout the life of the animal 12, 22.
（
図１は、反芻動物12の第二胃14内に配置された、体内に摂取可能なボーラス10、及び、反芻動物22の第一胃24内に配置された、体内に摂取可能なボーラス20を示している。体内に摂取可能なボーラス10、20は、ボーラス10、20を保持することができる任意の胃及び／又は胃室の中に維持することができる。ボーラス10、20は、反芻動物12、22の生涯にわたって、当該動物の第二胃14、24及び／又は第一胃15、25の中に留めることが可能である。
【0015】In an alternative embodiment, bolus 10, 20 may be injected into and/or implanted under the skin of an animal 12, 22 or otherwise implanted within the body of an animal 12, 22.
（別の実施形態では、ボーラス10、20は、動物12、22の皮下に埋め込まれ、あるいは動物12、22の体の内部に埋め込まれてもよい。）
【0016】
Bolus 10, 20 may comprise wireless communications means to allow bolus 10 to be in wireless communication with base station 40. Base station 40 may comprise a computing device 42 communicatively coupled to base station 40
（
ボーラス10、20は、ボーラス10が基地局40と無線通信することができるようにするため、無線通信手段を備えていてもよい。基地局40は、基地局40と通信可能に結合されたコンピュータ装置42を含むことができる。
【0017】The base station 40 and/or computing device 42 may be monitored by and/or in communication with an animal manager. As used herein, an animal manager may refer to any person, machine, and/or process used to manage one or more animals. The animal manager may be in charge of and/or responsible for one or more animals monitored by the systems and methods disclosed herein. An animal manager may comprise one or more automated systems, such as feeding, heating, cooling and other systems. An animal manager may further comprise a human animal manager and/or veterinarian. 
Base station 40 and/or computing system 42 may be configured by and/or interact with the animal manager to monitor and/or respond to changes in animal 12, 22 health condition
（基地局40及び／又はコンピュータ装置42は、動物の管理主体によって監視されるか、動物の管理主体と通信してよい。本明細書で使用される場合、動物の管理主体は、１又は複数の動物を管理する任意の者、管理するために用いられる任意の機械若しくは任意のプロセスであってよい。動物の管理主体は、本明細書で開示されるシステムおよび方法によって監視される１又は複数の動物に関与し、及び／又は責任を持ってよい。動物の管理主体は、給餌、暖房、冷却等の１又は複数の自動システム、及びその他のシステムを含むことができる。動物の管理主体は、さらに人間である動物管理者及び／又は獣医師を含むことができる。
基地局40及び／又はコンピュータ装置42は、動物12、22の健康状態を監視し、及び／又は健康状態の変化に対応するように、動物の管理主体に組み込まれ、あるいは動物の管理主体と相互作用するように構成してよい。
【0018】The wireless communication means of bolus 10, 20 may comprise a wireless transmitter and/or receiver operating at 900 MHz or some other suitable radio frequency (RF). In some embodiments, such wireless communication may be two-way, allowing bolus 10, 20 to transmit and receive data from base station 40. In other embodiments, 
bolus 10, 20 may only be capable of transmitting data to base station 40.
（ボーラス10、20の無線通信手段は、900MHz又は他の適切な無線周波数（RF）で動作する無線送信機及び／又は受信機を含んでもよい。いくつかの実施形態では、このような無線通信は、ボーラス10、20が基地局40からデータを送受信できる双方向通信とすることができる。他の実施形態では、
ボーラス10、20は、基地局40にデータの送信を行うことができるだけでもよい
【0019】Animals 12 and 22 may be capable of roaming over a relatively large area, such as a feed lot, dairy, range area, enclosure, or the like. As such, the distance between base station 40 and bolus 10, 20 may become greater than the wireless communication range of bolus 10, 20. In this case, 
one or more wireless transponders 60, 62 may be deployed to increase the communications range of bolus 10, 20 to base station 40. Transponder(s) 60, 62 may receive wireless transmissions from bolus 10 and retransmit them at a higher power and/or a different frequency to allow such transmissions to be received by base station 40.
（動物12及び22は、餌場、酪農場、放牧地域、囲い地のような比較的広い範囲にわたって移動可能である場合がある。そのため、ボーラス10、20と基地局40との間の距離は、ボーラス10、20の無線通信範囲よりも大きくなる場合がある。このような場合、
１又は複数の無線中継器60、62を展開して、ボーラス10、20の基地局40に対する通信範囲を増加してよい。中継器60、62は、ボーラス10からの無線送信を受信して、より高い出力及び／又は異なる周波数でそれらを再送信することで、基地局40による受信が行われるようにすることができる。
（ウ）
「【0022】
Bolus 10, 20 may comprise one or more sensors to detect one or more characteristics of animal 12, 22. In this embodiment, bolus 10, 20 may wirelessly transmit data corresponding to monitored animal characteristics to base station 40. Monitored animal characteristics may include physiological characteristics, such as animal temperature, stomach pH, blood pH, heart rate, respiration, stomach contractions, and the like.
（
ボーラス10、20は、動物12、22の１又は複数の特性を検出する１又は複数のセンサを含んでもよい。この実施形態では、ボーラス10、20は、監視される動物の特性に対応するデータを基地局40に無線送信してよい。監視される動物の特性は、体温、胃のpH、血液のpH、心拍数、呼吸、胃収縮等の生理学的特性を含むことができる。
「【0025】Turning now to FIG. 2, a block diagram of one embodiment 200 of a bolus 210 is depicted. The components of bolus 210 may be disposed within an enclosure 205. Enclosure 205 may be formed from any material capable of remaining within the stomach of an animal without deteriorating and/or degrading. In addition, enclosure 205 may be formed of a material unlikely to produce an adverse reaction in an animal when implanted therein (e.g., within the rumen or reticulum of the animal). In one embodiment, enclosure 205 may be formed from a non-toxic plastic material.
（次に
図２
ブロック図
ボーラス210の構成部品は筐体205内に配置することができる。筐体205は、動物の胃の中で崩壊及び／又は劣化することなく残存可能な任意の材料から形成することができる。また、筐体205は、動物内（例えば、動物の第一胃又は第二胃内）に移植された場合に、動物に有害な反応を生じにくい材料で形成することができる。
【0026】Bolus 210 may comprise one or more sensors 220 configured to measure one or more animal characteristics. One or more of sensors 220 may detect animal movement and/or motion activity characteristics including, but not limited to: distance traveled by the animal; animal movement frequency; animal movement speed; and the like. In one embodiment, an accelerometer 221 may be used to detect such movement and/or motion activity characteristics. In this embodiment, accelerometer 221 may be a three-axis accelerometer capable of detecting animal movement and/or motion activity in each of the Cartesian x,y, and z axes. Bolus 210 may change its orientation while within an animal (e.g., within an animal's rumen and/or reticulum). As such, detection of movement and/or motion activity in only one (1) or two (2) axes may yield inaccurate results.
（ボーラス210は、動物の１又は複数の特性を測定するように構成された、１又は複数のセンサ220を含むことができる。１又は複数のセンサ220は、限定するものではないが次のような移動特性及び／又は運動特性：動物が移動した距離；動物の移動頻度；動物の移動速度など、を検出してよい。一実施形態では、加速度計221が、そのような移動特性及び／又は運動特性を検出するために、使用される。この実施形態では、
加速度計221は、デカルト座標系の”x”、”y”、”z”各軸における動物の移動特性及び／又は運動特性を検出することが可能な、三軸加速度計であってもよい。ボーラス210は、動物の体内（例えば、動物の第一胃及び／又は第二胃内）で、その配向が変わる場合がある。そのため、移動特性及び／又は運動特性の検出が、一軸又は二軸のみである場合には、不正確な結果に至るおそれがある。）
【0027】An acceleration vector magnitude (VM) value may be calculated from the readings of the three-axis accelerometer by calculating a square root of the sum of squares of each of the x,y, and z coordinate axes as shown in Equation 1.1:
（
加速度のベクトル長（VM）は、
三軸加速度計の”x”、”y”、”z”各座標軸の測定値の自乗の和の平方根により、計算することができる。
　　（当審注；　式１．１の訳は省略））
【0028】A derivative of the vector magnitude (VM) may be approximated by calculating the absolute value of the difference between subsequent vector magnitude values as illustrated in equation 1.2:
（ベクトル長（VM）の導関数は、式１．２に示すように、後続のベクトル長との差分の絶対値を計算することで、近似することができる。
　　（当審注；　式１．２の訳は省略））
【0029】The derivative of acceleration calculated per equation 1.2 may be useful in monitoring animal characteristics as it may remove errors caused by sloshing movement of bolus 210 within the stomach of the animal or other constant acceleration forces acting on the animal (e.g., gravity). Accordingly, the derivative of the movement and/or motion activity vector magnitude may provide an accurate representation of the actual movement and/or motion activity characteristics of the animal.
（式１．２によって算出された
加速度の導関数は、動物の胃の中で液面揺動により生じる誤差や、動物に作用するその他の一定の加速度（例えば重力）を除去することを可能とするため、動物の特性を監視するうえで有用である。従って、動物の移動特性及び／又は運動特性のベクトル長の導関数により、動物の実際の移動特性及び／又は運動特性の正確な表現を提供することができる
【0030】In addition to detecting movement and/or motion activity, 
accelerometer 221 may be configured to detect stomach contractions. Since bolus 210 may be disposed in the stomach of an animal (e.g., in a ruminant animal's rumen or reticulum), bolus 210 may be movably affected by animal stomach contractions. In this case, bolus 210 may be configured to have a weight and/or density sufficient to cause bolus 210 to be maintained in a lower portion of the animal stomach and/or be movably coupled to a wall of the animal's stomach. As used herein, a bolus 210 movably coupled and/or in movable communication with a stomach of an animal may refer to a condition wherein a movement of the stomach, such as a contraction, causes a corresponding movement detectable by accelerometer 221 the bolus 210. As such, bolus 210 may be movably coupled and/or in movable communication with a stomach wall, but not in contact with the stomach wall (e.g., bolus 210 may be movably coupled to the stomach wall via other materials in the stomach, such as feed material and/or fluids within the stomach). Stomach contraction movement may be detected by accelerometer 221 as a periodic acceleration. For example, a typical ruminant animal may experience a three (3) stomach contractions every minute while on-feed (i.e., every 20 seconds). As used herein, on-feed may refer to an animal health condition wherein the animal is actively feeding, and off-feed may refer to an animal health condition wherein the animal is no longer and/or intermittently feeding. Accordingly, an animal manager may be able to detect when an animal goes off-feed by observing a change and/or reduction in the frequency of animal stomach contractions. This may be important since going off-feed may be indicative of a more serious health condition. In addition, an animal may go off-feed before other health-condition symptoms (e.g., increased/decreased movement, temperature, or the like) are observable.
（
移動特性及び／又は運動特性を検出することに加えて、加速度計221は、胃の収縮を検出するように構成することができる。ボーラス210は、動物の胃の中（例えば、反芻動物の第一胃又は第二胃の中）に配置できるので、動物の胃の収縮による動的影響を受けることができる。この場合、ボーラス210は、動物の胃の下方部分に位置し続け、及び／又は動物の胃壁と連携して動くのに、十分な質量及び／又は密度を有するように構成することができる。
ボーラス210が動物の胃と連携して動く及び／又は動物の胃の動きが伝わるとは、収縮のような胃の動きが、ボーラス210の加速度計221によって検出可能な対応する動きを生じるような状態を指す。そのため、ボーラス210は、動物の胃と連携して動く、及び／又は動物の胃の動きが伝わるが、胃壁と接触していなくともよい（例えば、ボーラス210に対して、胃内の食物及び／又は流体といった他の物質を介して、胃壁の動きが伝わってもよい）。胃の収縮運動は、加速度計221により、周期的な加速度として検出され得る。例えば、典型的な反芻動物では、”オン−フィード”では、毎分３回の（即ち、２０秒毎の）の胃の収縮が生じる。ここで、”オン−フィード”とは、動物が活発に餌を食べている際の動物の健康状態を指し、”オフ−フィード”とは、動物がもはや餌を食べていないか、あるいは一時的に餌を食べていない際の動物の健康状態を指す。したがって、動物の管理主体は、動物の胃の収縮頻度の変化及び／又は減少を観察することにより、動物が”オフ−フィード”となったことを検出することができる。”オフ−フィード”となることは、より深刻な健康状態の指標である場合があるので、重要である。加えて、動物は、他の健康状態の症状（例えば、運動や体温の増加／低下等）が観察可能となるのに先立って、”オフ−フィード”となる場合がある。）
（エ）
「【0059】Referring again to FIG. 1, one or more bolus 10, 20 may be in wireless communication with a base station 40. As such, bolus 10, 20 may periodically transmit animal characteristics messages to the base station 40. 
Base station 40 may be communicatively coupled to and/or may comprise a general and/or special purpose computing device 42. This computing device 42 may be configured to create one or more animal profiles associated with one or more animals 12, 22. The device may be further configured to compare any animal characteristics messages to one or more stored animal profiles. As a result of this comparison, the computing device 42
may detect a health condition in an animal 12, 22 (e.g., detect an estrus and/or off-feed condition in an animal 12, 22)
（再び図１を参照すると、１又は複数のボーラス10、20は、基地局40と無線通信することができる。それに伴い、ボーラス10、20は、動物の特性のメッセージを、基地局40に周期的に送信してよい。
基地局40は、汎用及び／又は特殊目的のコンピュータ装置42と通信可能に結合されるか、コンピュータ装置42を含むように構成されてよい。コンピュータ装置42は、１又は複数の動物12、22に関連付けられた、１又は複数の動物プロファイルを作成するように構成することができる。コンピュータ装置42はさらに、動物の特性のメッセージを、１又は複数の格納された動物プロファイルと比較するように構成されてもよい。この比較に基づいて、コンピュータ装置42は、
動物12、22の健康状態を検出したり（例えば、動物12、22が発情期であること及び／又はオフ−フィード状態であることを検出したり）
することができる。
（オ）
「【0060】Turning now to FIG. 3, one embodiment of an ingestible bolus 310 is depicted. Bolus 310 may comprise a substantially hollow enclosure shell 305. A portion of the enclosure shell 305 may be substantially cylindrically shaped. As discussed above, enclosure shell 305 may be formed from any material capable of withstanding the environment within a stomach of a ruminant animal. In addition, the material of enclosure shell 305 may be formed from a non-toxic material such that it may not significantly adversely affect a host animal while disposed within the animal's stomach.
（ここで
図３を参照すると、体内に摂取可能なボーラス310の一実施形態が示されている。ボーラス310は、実質的に中空の筐体外殻305を含むことができる。筐体外殻305は、実質的に円筒形の形状であり得る。
（カ）
「【0062】The end 303 of shell 305 may be enclosed. As such, ballast weight 315 may be disposed therein. In the FIG. 3 embodiment, ballast weight 315 may comprise a plurality of substantially spherical weights (e.g., bearings, BBs, or the like). Alternatively, ballast weight 315 may be comprised of a formed solid material. 
Ballast weight 315 may be configured such that when bolus 310 is disposed within a stomach of an animal, bolus 310 may be maintained substantially in a bottom portion of the stomach. In this embodiment, bolus 310 may be maintained in contact with the portion of the stomach wall. As such, bolus 310 may be movably coupled to the stomach wall to allow an accelerometer sensor (e.g., element 321 discussed below) of bolus 310 to detect a contraction or other movement of the stomach and/or stomach wall. Since bolus 310 may be configured to contact a lower portion of the stomach wall, ballast weight 315 may be configured to cause bolus 310 to have a greater density than the fluids and/or feed commonly within the stomach of a host animal. Alternatively, bolus 310 may be movably coupled to the animal's stomach substantially as described above in conjunction with FIG. 2.
（筐体外殻305の端部303は、密閉することができる。このようにして、調整錘315が、その中に配置されてもよい。図３の実施形態では、調整錘315は、多数の実質的に球形の錘（例えば、ベアリング、BBなど）を含んでいてもよい。あるいは、調整錘315は、形成された固体材料から構成することができる。
調整錘315は、ボーラス310が動物の胃の中に配置されると、ボーラス310が実質的に胃の底部に留まるように構成することができる。この実施形態では、ボーラス310は、胃壁の一部との接触を維持することができる。このようにして、ボーラス310は、ボーラス310の加速度計センサ（例えば、以下で論ずる加速度センサ321）が、胃及び／胃壁の収縮又は他の動きを検出することが可能となるように、胃壁と連携して動くようにされ得る。ボーラス310が胃壁の下方部分と接触するように構成する場合、調整錘315は、ボーラス310の密度が、宿主動物の胃の内部の流体及び／又は餌より概して大きな密度となるように、構成してよい。あるいは、ボーラス310は、図２に関連して既に述べたように、動物の胃と連携して動くように構成してよい
（キ）
「【0071】The electrical components of bolus 310 may be disposed on first and second PCBs 325 and 327 and electrical communication therebetween may be provided by one or more PCB traces disposed on PCBs 325 and 327 and/or prongs 329. 
The electrical components may comprise one or more sensors 320, including an accelerometer 321 and thermistor 322. Accelerometer 321 may be a three-axis accelerometer.
The electrical components may further comprise a communications module 330,
Communications module 330 may comprise a transceiver 331. Transceiver 331 may be capable of transmitting and receiving data wirelessly using antenna 333
（ボーラス310の電気部品は第１および第２のプリント回路板325、327上に配置して、それらの間の電気的通信は、印刷回路基板325、327及び／又は突起329上に配置された１以上のPCBトレースによって提供されてもよい。
電気部品は、加速度計321及びサーミスタ322を含む１又は複数のセンサ320を有していてもよい。加速度計321は、三軸加速度計であってもよい。
電気部品は更に、通信モジュール330
を含むことができる。通信モジュール330は、トランシーバ331を含むことができる。トランシーバ331は、アンテナ333を用いて無線でデータを送信及び受信することが可能である
　イ　引用文献１に記載された発明 
　上記アにおいて、図１が「システム」の「ブロック図」であり、図２が「ボーラス」の「ブロック図」であること（段落【００１３】及び【００２５】参照）、図３における「ボーラス３１０」の実施形態において、図２に関連する説明が援用されていること（段落【００６２】参照）から、引用文献１には、上記ア（オ）〜（キ）に示される「ボーラス３１０」を用いる場合についても、図１及び図２に関する上記ア（イ）〜（エ）に説明されたシステム及び方法とすることが開示されていると認められる。
　また、上記アにおいて、動物を「牛」とすること、及び、ボーラスを動物の生涯にわたって「第二胃」又は「第一胃」の中に留めること（段落【００１３】及び【００１４】参照）が記載されていることから、引用文献１には、ボーラスを配置し、胃の収縮を検出する対象を、「牛」の「第一胃又は第二胃」とする発明も、記載されていると認められる。
　以上をふまえて、「ボーラス３１０」を「牛」の「第一胃又は第二胃」内に留める場合に着目して整理すると、上記アより、引用文献１には次の発明（以下、方法の発明とシステムの発明とを、それぞれ「引用発明１−１」及び「引用発明１−２」といい、両者をあわせて「引用発明１」という。なお、仮訳における半角数字及びアルファベットは、全角に統一した。）が記載されていると認められる。　
引用発明１−１
「牛の１又は複数の特性を監視して牛の健康状態を検出する方法であり、
　実質的に円筒形の筐体外殻３０５、三軸加速度計３２１を含むセンサ３２０、及びトランシーバ３３１を含みセンサのデータを無線で送信することができる通信モジュール３３０を備え、牛の食道を通じて体内に摂取可能であり、牛の第一胃又は第二胃に留まることが可能な密度を有し、牛の第一胃又は第二胃の収縮による動きが伝わり内部の三軸加速度計３２１によって検出可能な対応する動きを生じる、ボーラス３１０と、
　ボーラス３１０からの無線送信を受信して、基地局４０に再送信する無線中継器６０、６２と、
　基地局４０が含むコンピュータ装置４２であり、ボーラス３１０が送信した牛の特性のメッセージを、１又は複数の格納された動物プロファイルと比較し、牛の健康状態を検出する、コンピュータ装置４２とを有し、
　ボーラス３１０内の三軸加速度計３２１が検出する、牛の第一胃又は第二胃の収縮に伴うボーラス３１０の対応する動きを示す加速度から、毎分３回の第一胃又は第二胃の収縮が生じ、牛が活発に餌を食べている際の健康状態を示す”オン−フィード”であるのか、牛の第一胃又は第二胃の収縮頻度の変化及び／又は減少が生じ、牛がもはや餌を食べていないか一時的に餌を食べていない際の健康状態を指す”オフ−フィード”であるのかを検出する、
　牛の健康状態を検出する方法。」
引用発明１−２
「引用発明１−１の方法を実施するシステム。」
（２）引用文献２ 
　ア　記載された事項
　原査定に引用された引用文献２には、図面とともに次の事項が記載されている。
（ア）　
「【0006】
The object of the present invention is
thus offer high-sensitivity registration of pressure signals in a ruminant animal's reticulum
（
本発明の目的は、
反芻動物の第二胃内の圧力信号の高感度な記録を提供する。
【0007】According to the invention, this object is achieved by the initially described bolus further containing a sensor module, a mechanical amplifier element and a guide means. The sensor module is included in the interior of the bolus' case unit. 
The sensor modole is configured to transduce pressure signals into electric signals, which form a basis for data representing body movements, a heart beat rate, a respiratory rate, a respiratory depth and/or stomach activity of the animal. The mechanical amplifier element extends out from the case unit. The mechanical amplifier elerent is adapted to be surrounded by the fluids in the reticulum and absorb mechanical energy from the pressure signals. The guide means is configured to convey mechanical energy from the mechanical amplifier element to the sensor module for processing
（本発明によれば、この目的は、センサ・モジュール、機械的増幅素子及び伝達手段をさらに有する、冒頭に記載したボーラスによって達成される。センサ・モジュールは、ボーラスのケース・ユニットの内部に含まれている。
センサ・モジュールは、圧力信号を電気信号に変換するように構成されており、これが動物の体の動き、心拍数、呼吸速度、呼吸深さ、及び／又は胃の活動を表すデータの基礎となる。機械的増幅素子は、ケース・ユニットから外へと突出している。機械的増幅要素は、第二胃内の流体中に浸漬されて、圧力信号から機械的にエネルギーを取り込むようになっている。伝達手段は、機械的なエネルギーを、機械的増幅要素から、処理のためにセンサ・モジュールへと伝達するように構成されている。
（イ）
「【0021】We refer initially to FIGS. 1 and 2, where FIG. 1 schematically shows a bolus according to one embodiment of the invention, and 
FIG. 2 illustrates a ruminant animal 200 carrying the proposed bolus 210 in its reticulum 220.
（まず図１、図２を参照すると、図１は、本発明の一実施形態のボーラスを模式的に示し、
図２は、本発明が提示するボーラス210を第二胃220内に有する、反芻動物200を示している
【0022】
The bolus 210 is configured to register pressure signals SP transmitted through fluids in the reticulum 220.
（
ボーラス210は、この第二胃220内の流体を介して伝達される圧力信号SPを記録するように構成される。
【0023】
A mechanical amplifier element MA extends out from the case unit 100. The mechanical amplifier element MA is adapted to be surrounded by the fluids in the reticulum and absorb mechanical energy from the pressure signals SP. Preferably, the mechanical amplifier element MA has a substantially flat main surface 145, which is configured to be repositioned in response to the pressure signals SP (essentially move up and down) and thus function as an energy receiver.
The substantially flat surface 145 is operatively connected to a guide means 140 that is configured to convey mechanical energy from the mechanical amplifier element MA to the sensor module 110. Thus, the substantially flat surface 145 and the guide means 140 are preferably relatively rigid, while a top part of case unit 100 towards the substantially flat surface 145 and the guide means 140 is flexible, so that any movements of the substantially flat surface 145 will cause the guide means 140 to influence the sensor module 110.
（
機械的増幅素子MAは、ケース・ユニット100から外へと延出している。機械的増幅素子MAは、第二胃内の流体中に浸漬されて、圧力信号から機械的にエネルギーを取り込むようになっている。機械的増幅素子MAは、好ましくは、圧力信号SPに応答して位置を変ること（基本的に上下に動くこと）によって、エネルギー受信要素として機能する、実質的に平坦な表面145を有する。
実質的に平坦な表面145は、機械的増幅器素子MAから機械的エネルギーをセンサモジュール110へと伝達するように構成された伝達手段140が動作するように、接続されている。そのため、好ましくは、実質的に平坦な表面145及び伝達手段140が比較的硬質である一方、実質的に平坦な表面145及び伝達手段140の側のケース・ユニット100の上端部は可撓性であり、実質的に平坦な面145のわずかな動きが、伝達手段140を介して、センサ・モジュール110に影響を与えるようになっている。
【0024】As an alternative to the substantially flat surface 145, the mechanical amplifier element MA may include a dome-shaped surface configured to receive and convey energy from the pressure signals SP to the sensor module 110.
（機械的増幅素子MAは、実質的に平坦な表面145の代わりに、圧力信号SPからエネルギーを受け取りセンサ・モジュール110に伝達するよう構成された、ドーム状の表面を含むことができる。）
【0025】
The sensor module is configured to transduce any pressure signals forwarded via the guide means 140 into electric signals S. These signals, in turn, form a basis for said data D. More precisely, the processing module 120 is configured to receive the electric signals S and extract data D there from. Here, the data D represent: body movements, a heart beat rate, a respiratory rate, a respiratory depth and/or stomach activity of the animal 200
（
センサ・モジュールは、伝達手段140を介して伝達された圧力信号を、電気信号Sに変換するよう、構成されている。変換された電気信号は、次に、先に述べたデータDのための基礎となる。より正確には、処理モジュール120が、電気信号Sを受信し、そこからデータDを抽出するように構成される。ここで、データDは次のものを表す：動物200の身体の動き、心拍数、呼吸速度、呼吸の深さ、及び／又は胃の活性。
【0026】
The communication module 130 is configured to receive the data D and transmit output signals SD (e.g. in the form of radio waves) from the animal 200, which output signals SD reflect the data D.
（
通信モジュール130は、当該データDを受け取って、データDを反映した出力信号SDを動物200から出力する（例えば、電波の形で出力する）ように構成されている。
（ウ）
「【0028】
Anyhow, the case unit 100 preferably has a general cylinder shape because this facilitates the introduction of the bolus 210 into the animal 200 via the esophagus 205. Said general cylinder has first and second short sides, and the mechanical amplifier element MA is arranged to extend from the first short side (top side in FIG. 1).
（
いずれにしても、ケース・ユニット100は、食道205を介して動物200内にボーラス210を導入することを容易にするため、一般的な筒形状を有することが好ましい。一般的な筒は、第１及び第２の短辺を有しており、前記機械的増幅要素MAは第１短辺（図１での上面）から延在するように配置されている。
【0029】
It has been found that the sensor in the sensor module 110 has the best sensitivity if the first short side (where the mechanical amplifier element MA is located) points in a general upward direction when the bolus 210 is installed in the animal 200. To increase the probability that the bolus 210 is oriented this way, it is advantageous if the case unit 100 includes at least one ballast 150 and/or 160 having such weight and position relative to the contents of the case unit 100 that a center of gravity of the case unit 100 is located closer to the second short side than the first short side. 
（
ボーラス210が動物200内に配置されたとき、第１の短辺（機械的増幅素子MAが配置されている箇所）が概して上方向を向いている場合に、センサ・モジュール110内のセンサが、最高の感度を示すことが見出された。ボーラス210がこの方向に配向する確率を高めるために、ケース・ユニット100は、ケース・ユニット100の重心がケース・ユニット100の第１の短辺側よりも第２の短辺側に近い位置となるように、ケース・ユニット100の内容物に対する位置と重さとを調整する、少なくとも１の調整錘150及び／又は160を含むことが、有利である。
（エ）
「【0031】
FIG. 3a shows a sensor module 110 according to a first embodiment of the invention, wherein the sensor module 110 includes a piezoelectric sensor 111, e.g. disc shaped. As can be seen in FIG. 3a, the guide means 140 is operatively connected to the sensor 111, such that any forces exerted on the mechanical amplifier element MA can be transported to the sensor 111. 
（
図３ａは、本発明の第１の実施形態に係るセンサー・モジュール110を示し、ここでセンサ・モジュール110は圧電センサ111を含み、例えばディスク形状である。図３ａからわかるように、伝達手段140が、機械的増幅素子MA上に加えられるあらゆる力がセンサ111に伝達されるよう、動作可能にセンサ111に接続されている。
【0032】
Due to the characteristics of the piezoelectric material in the sensor 111, a deformation thereof causes a voltage to be generated. Consequently, the variations in this voltage reflect pressure variations in the fluids of the reticulum 220. Since such pressure variations, in turn, may be the result of body movements, heart activities, activities of the respiratory organs and stomach activities, the voltage produced by the sensor 111 may form a basis for determining a heart beat rate, a respiratory rate, a respiratory depth and/or stomach activity of the animal 200.
（
センサ111の圧電材料は、その特性により、自身の変形によって電圧を発生する。そのため、当該電圧における変化は、第二胃220の流体内の圧力の変化を反映している。このような圧力の変化は、身体運動、心臓活動、呼吸器官の活性及び胃の活動の結果であり得るので、センサ111が発生する電圧は、動物200の心拍数、呼吸数、呼吸の深さ及び／又は胃の活性を決定するための基礎とすることができる。
（オ）
「【0037】
FIG. 3c shows a sensor module 110 according to a third embodiment of the invention, wherein the sensor module 110 includes a MEMS accelerometer configured to register acceleration and deceleration parameters. This type of component is advantageous because it can be designed as a so-called 3-axis sensor capable of registering deformations in three dimensions x, y and z (i.e. downwards/upwards as well as lateral movements in a plane). A 3-axis MEMS accelerometer detects acceleration and deceleration in three independent directions. Since gravitation constitutes one important example of acceleration (namely towards earth), the sensor can detect how it is oriented relative to earth with respect to each of said axes. Consequently, in addition to the above-mentioned pressure variations, the sensor may also determine static pressures. Additionally, extremely slow pressure variations can be registered accurately
（
図３ｃは、本発明の第３の実施形態に係るセンサー・モジュール110を示し、ここではセンサ・モジュール110は、加速度及び減速度のパラメータを記録するように構成されたMEMS加速度計を含んでいる。この類型の構成要素は、３次元のx、y、z軸に沿った変形（すなわち、上方向／下方向と同様に水平面内の動き）を記録することが可能な、いわゆる３軸センサとして設計することができるので、有利である。３軸MEMS加速度計は、独立した３方向の加速度及び減速度を検出する。重力は加速度の一つの重要な例（すなわち地面に向かっての加速度）を構成しているので、当該センサは、前記軸の各々が地面に対してどのように配向されているかを検出することができる。そのため、当該センサは、上述した圧力の変化に加えて、静的な圧力もまた決定することができる。さらに、非常にゆっくりとした圧力の変化も、正確に記録することができる。
　イ　引用文献２に記載された発明 
　上記アより、引用文献２には次の発明（以下、「引用発明２」という。なお、仮訳における半角数字及びアルファベットは、全角に統一した。）が記載されていると認められる。　
「ボーラス２１０を用いて、反芻動物２００の第二胃２２０内の圧力信号ＳＰを高感度に記録する方法であり、
　一般的な筒形状を有し、第１及び第２の短辺を有するケース・ユニット１００と、
　ケース・ユニット１００の第１短辺側でケース・ユニット１００の可撓性の上端部から延出し、反芻動物２００の第二胃２２０内で上方を向いて流体中に浸漬され、該流体の圧力信号ＳＰに応答して上下に動くことによって、圧力信号ＳＰの機械的エネルギーを伝達手段１４０を介してセンサ・モジュール１１０に伝達する、機械的増幅素子ＭＡと、
　ボーラス２１０が動物２００内に配置されたとき、機械的増幅素子ＭＡが配置された第１短辺が概して上方向を向くよう、ボーラス２１０の重心を調整する調整錘１５０と、
　機械的増幅素子ＭＡから、伝達手段１４０を介して伝達される圧力信号ＳＰを、電気信号Ｓに変換する、圧電センサ１１１又は三軸ＭＥＭＳ加速度計を有する、センサ・モジュール１１０と、
  電気信号Ｓから、反芻動物２００の身体の動き、心拍数、呼吸速度、呼吸の深さ、及び／又は胃の活性を表すデータＤを抽出する、処理モジュール１２０と、
　データＤを反映した出力信号ＳＤを、電波の形で、反芻動物２００から出力する、通信モジュール１３０と、
　を有するボーラス２１０を、反芻動物２００の食道２０５を介して第二胃２２０内に導入し、第二胃２２０内の流体の圧力信号ＳＰを高感度に記録する方法。」
　
２　本願発明１について
（１）対比
　本願発明と引用発明１−１とを対比する。
　引用発明１−１における「ボーラス３１０」は、センサ及び無線による通信機能を有しており、かつ牛の胃の中に配置可能であるから、本願発明１における「無線センサ端末」に相当する。
　引用発明１−１における「ボーラス３１０」が、「実質的に円筒形の筐体外殻３０５」を有する点は、本願発明１における「無線センサ端末」が「略筒形状」である点に相当する。
　引用発明１−１における「三軸加速度計３２１」は、「牛の第一胃又は第二胃の収縮による動きが伝わ」ることで「対応する動き」を生じる「ボーラス３０１」の動き、すなわち位置変化を、加速度として検出可能であるから、本願発明１における「位置変化を検出できる変位検出手段」に相当する。
　引用発明１−１における「トランシーバ３３１を含みセンサのデータを無線で送信することができる通信モジュール３３０」は、三軸加速度計３２１が測定したデータも無線で送信すると解されるから、本願発明１における「該変位検出手段の測定データを無線送信する無線送信手段」に相当する。
　引用発明１−１において、「ボーラス３１０」を「牛の食道を通じて体内に摂取」させ「牛の第一胃又は第二胃に留」めることと、本願発明１において「無線センサ端末」を「経口投与により牛の第一胃内に留置させ」ることとは、「無線センサ端末」を「経口投与により牛の胃内に留置させ」る点で共通する。
　引用発明１−１において、「牛」の「体内」に配置する「ボーラス３１０」と無線通信を行う「無線中継器６０、６２」、「基地局４０」は、牛の体外に存在することが明らかであるから、引用発明１−１における「基地局４０」が「ボーラス３１０からの無線送信」を「無線中継器６０、６２」を介して「受信」し、「基地局４０が含むコンピュータ装置４２」が「ボーラス３１０が送信した牛の特性のメッセージ」を処理することは、本願発明１において「該牛個体の体外で、前記変位検出手段の測定データ」を「取得」することに相当する。
　引用発明１−１において、「ボーラス３１０内の三軸加速度計３２１が検出する、牛の第一胃又は第二胃の収縮に伴うボーラス３１０の対応する動きを示す加速度から、毎分３回の第一胃又は第二胃の収縮が生じ、牛が活発に餌を食べている際の健康状態を示す”オン−フィード”であるのか、牛の第一胃又は第二胃の収縮頻度の変化及び／又は減少が生じ、牛がもはや餌を食べていないか一時的に餌を食べていない際の健康状態を指す”オフ−フィード”であるのかを検出する」ことと、本願発明１において、「前記無線センサ端末の長軸方向と略一致する軸方向における第一胃内での位置変化を経時的に表す波形」の「変動を検知することによって第一胃鼓脹症の発症の有無を検出する」こととは、「該変位検出手段の測定データから、胃と関連する健康状態を検出する」という点で、共通する。
　引用発明１−１における「牛の健康状態を検出する方法」と、本願発明１における「牛の第一胃鼓脹症検出方法」とは、「牛の健康状態を検出する方法」という点で共通する。
　以上より、本願発明１と引用発明１−１とは、次の点で一致する。
「略筒形状で、位置変化を検出できる変位検出手段及び該変位検出手段の測定データを無線送信する無線送信手段を備えた無線センサ端末を経口投与により牛の胃内に留置させ、該牛個体の体外で、前記変位検出手段の測定データを取得し、該変位検出手段の測定データから、胃と関連する健康状態を検出する、牛の健康状態を検出する方法。」
　一方、本願発明と引用発明１−１とは、以下の点で相違する。　
＜相違点１＞
　本願発明１では、無線センサ端末の密度が、「重量密度１．８〜８．０ｇｆ／ｃｍ３」と特定されているのに対し、
　引用発明１−１では、ボーラス３１０の密度が、「牛の第一胃又は第二胃に留まることが可能な密度」であるものの、「重量密度１．８〜８．０ｇｆ／ｃｍ３」に相当する密度であるか否かが不明である点。
＜相違点２＞
　検出する症状、及びそのための検出手法に関して、
　本願発明１では、「第一胃鼓脹症検出方法」であり、無線センサ端末を牛の「第一胃」内に留置させ、「測定データとして、前記無線センサ端末の長軸方向と略一致する軸方向における第一胃内での位置変化を経時的に表す波形」の「変動を検知」することによって「第一胃鼓脹症の発症の有無」を検出することが特定されているのに対し、
　引用発明１−１では、実質的に円筒形の筐体外殻３０５を有するボーラス３１０が備える三軸加速度計３２１が示す、牛の第一胃又は第二胃の収縮頻度の変化及び／又は減少から、牛がもはや餌を食べていないか一時的に餌を食べていない際の健康状態を指す”オフ−フィード”であることを検出するものの、「無線センサ端末の長軸方向と略一致する軸方向における第一胃内での位置変化を経時的に表す波形」の「変動」から「第一胃鼓脹症の発症の有無」を検出していない点。
（２）判断
　ア　相違点２について
　事案に鑑み、上記相違点２について判断する。
（ア）引用文献１中の記載に基く場合
　引用発明１−１は、ボーラス３１０が備える三軸加速度計３２１が示す、牛の第一胃又は第二胃の収縮頻度の変化及び／又は減少から、牛がもはや餌を食べていないか一時的に餌を食べていない際の健康状態を指す”オフ−フィード”であることを検出するものの、引用文献１中には、牛の「第一胃鼓脹症」を検出することを示す記載、及び、三軸加速度計３２１の出力のうち、ボーラス３１０の「長軸方向と略一致する軸方向」の「位置変化を経時的に表す波形」が「第一胃鼓脹症の発症の有無」を検出するうえで有利であることを示す記載は、いずれも存在しない。引用文献１の段落【００２６】では、ボーラスの配向が動物の第一胃又は第二胃内で変わる場合があり、そのために一軸又は二軸のみの加速度計による検出は不正確な結果となることが言及されているが、引用文献１においては、後続する段落【００２７】−【００２９】の記載にも示されるように、三軸加速度計を使用すれば重力の加速度も検出できるため、誤差の軽減が可能であるとされており、ボーラス３１０が有する三軸加速度計３２１が有する三軸の出力のうち、三軸の処理を離れて特定の軸の出力に着目する思想は示されていない。また、引用発明１−１のボーラス３１０が実質的に円筒形の筐体外殻３０５を有するからといって、牛の第一胃内において、前述した三軸全ての信号を用いる処理を離れて、ボーラスの長軸方向の加速度出力に着目した検出処理を行うことについて、引用文献１中に動機付けあるいは示唆があったということはできない。
　一方、上記相違点２に係る本願発明１の構成に関して、本件明細書の段落【００３７】−【００４０】には、次のように記載されている。
「【００３７】
　本発明者らは、独自の検討の結果、略筒形状の無線センサ端末Ｂを牛第一胃Ｃ１内に留置させた場合、その無線センサ端末Ｂの長軸方向と略一致する軸方向における位置変化を経時的に表す波形が、第一胃収縮運動と同調することを新規に見出した。従って、例えば、前記測定データとして、前記無線センサ端末の長軸方向と略一致する軸方向における位置変化を経時的に表す波形を取得し、該波形の変動を検知することによって牛の第一胃鼓脹症の発症の有無を検出する構成とすることで、高感度、高精度かつ確定的に同疾患の発症の有無を検出できる。
【００３８】
　その場合、一軸（一方向）のみの位置変化を検出可能な変位検出手段２によっても、無線センサ端末Ｂの長軸方向と略一致する軸方向における位置変化を検知できる。但し、二軸（ＸＹ軸の二方向）又は三軸（ＸＹＺ軸の三方向）の位置変化を検出可能な変位検出手段２を用いることで、牛個体Ｃの動作・移動や、牛第一胃Ｃ１内での無線センサ端末Ｂの移動・回転・向きなども検知できるため、それらを考慮した判定が可能となり、同疾患の発症有無の検出確度をより高めることができる。
【００３９】
　この変位検出手段２の測定データの評価は、例えば、一定時間内における波形のピークの大きさや回数、波形の変化量、一定時間内における測定データの積算値などに基づいて行うことができる。
【００４０】
　正常時（第一胃鼓脹症を発症していない時）には、無線センサ端末Ｂの長軸方向と略一致する軸方向の位置変化を表す波形が大きく変動し、ピークが現れる。この波形の変動は、牛個体Ｃの行動状態によって異なり、採食時に最も大きく、反芻時、休息時の順に低くなるが、いずれの行動状態の場合においても、波形の変動を検知できる。一方、第一胃鼓脹症発症時には、波形のピークが消失し、変動も小さくなる。そこで、例えば、測定データの波形が正常時の波形と異なる場合に、第一胃鼓脹症の発症の可能性があると判定するようにすることで、牛の第一胃鼓脹症の発症の有無を早期に検出することができる。」
　上記の記載によれば、本願発明１は、上記相違点２に係る構成を有することにより、一軸のみの位置変化を検出可能な変位検出手段を用いても、牛の第一胃内の無線センサ端末を用いて牛の第一胃鼓脹症を有効に検出できるとともに、三軸の位置変化を検出可能な変位検出手段を用いる場合にも、無線センサ端末の長軸方向と略合致する方向の出力に着目しつつ、検出精度をより高めることができる、という所定の効果を奏するものと解される。
　このように、引用文献１において上記相違点２に係る本願発明１の構成を採用する動機付けや示唆がなく、また本願発明１は上記相違点２に係る構成をとることにより、本件明細書に記載される所定の効果を奏するものであるから、引用発明１−１において、上記相違点２に係る本願発明１の構成に至ることは、単なる設計事項ということができず、引用文献１中のその他の記載に基いて想到容易ということもできない。
（イ）引用発明２に基く場合
　引用文献２には、上記１（２）イに認定した引用発明２が記載されており、引用発明２は、「反芻動物２００の第二胃２２０内」に導入する、「一般的な筒形状」の「ケース・ユニット１００」を有する「ボーラス２１０」において、「ケース・ユニット１００の第１短辺側」で「ケース・ユニット１００」の「上端部から延出」する「機械的増幅素子ＭＡ」の「上下の動」きに着目する構成を有している。
　当該構成は「長軸方向と略一致する軸方向」のセンサ出力に着目する、という点のみについてみれば、上記相違点２に係る本願発明１の構成と、一部において共通する点を有している。
　しかしながら、引用発明２は、「反芻動物２００の第二胃２２０」内で「圧力信号ＳＰ」を高感度に記録することを主眼としており、そのために「ボーラス２１０」も、「反芻動物２００の第二胃２２０」内で、「機械的増幅素子ＭＡが配置された第１短辺が概して上方向を向」き、かつ「機械的増幅素子ＭＡ」が「流体中に浸漬され」るような構造を有することを、前提としている。また、引用発明２においては、センサとして「三軸ＭＥＭＳ加速度計」を用いる選択肢を有していても、着目するボーラス２１０の「機械的増幅素子ＭＡ」の「上下の動」きは、「機械的増幅素子ＭＡ」が「ケース・ユニット１００の可撓性の上端部から延出」していることにより、「圧力信号ＳＰに応答」してボーラス２１０内で生じる相対的な動きである前提である。
　そのため、たとえ引用発明２がボーラスの「長軸方向と略一致する軸方向」のセンサ出力に着目する、という構成を有していても、前述した引用発明２の前提を離れて、当該構成のみを分離して取り出し、引用発明１−１に適用する動機付けが、引用文献２にあるということはできない。また、引用発明１−１において「三軸加速度計３２１」が検出する「動き」は、「牛の第一胃又は第二胃の収縮による動きが伝わ」ることで「ボーラス３１０」に生じる動きであるから、引用発明２において「圧力信号ＳＰに応答」してボーラス２１０内で生じる相対的な動きとは異質なものであり、引用発明２における「機械的増幅素子ＭＡ」の動きを検出するための処理を、引用発明１−１において採用する動機付けがあるということはできない。
　なお、引用発明２において、「反芻動物２００の第二胃２２０」内への配置を前提とした「ボーラス２１０」を、牛の「第一胃」内に配置して「第一胃鼓脹症」を検出することについて予備的に検討しても、引用文献２中にそのような動機付けがあるということはできない。
　したがって、引用発明１−１において、上記相違点２に係る本願発明１の構成に至ることは、引用発明２、又は引用文献２に記載されたその他の事項を考慮しても、当業者にとって容易に想到できたということはできない。
　イ　まとめ 
　上記アのとおり、上記相違点２に係る本願発明１の構成は、引用発明１−１に基いて、引用文献２に記載された事項を考慮しても、本願出願前に当業者が容易に想到することができたとはいえない。　
　したがって、上記相違点１についての判断を要することなく、本願発明１は、当業者であっても、引用発明１及び引用文献２に記載された事項に基いて、容易に発明できたものであるとはいえない。　
３　本願発明２ないし４について
　本願発明２は、本願発明１の構成を全て有したうえで、さらに付加的特定事項により本願発明１を限定したものである。そして、上記２で判断したとおり、本願発明１が、引用発明１及び引用文献２に記載された事項に基いて、当業者が容易に発明できたものではないから、本願発明２も、引用発明１及び引用文献２に記載された事項に基いて、当業者が容易に発明できたものであるとはいえない。
　本願発明３及び４は、末尾が「牛の鼓脹症検出方法」と記載されているが、引用する本願発明１が「牛の第一胃鼓脹症検出方法」であり、かつ引用する本願発明１において特定されるとおり「無線センサ端末」を「牛の第一胃内に留置」させて「第一胃鼓脹症の発症の有無を検出」するものであるから、末尾における「牛の鼓脹症検出方法」の記載は「牛の第一胃鼓脹症検出方法」の趣旨であることが明らかである。また、本願発明３及び４は、本願発明１の構成を全て有したうえで、さらに付加的特定事項により本願発明１を限定したものであることが明らかである。そして、上記２で判断したとおり、本願発明１が、引用発明１及び引用文献２に記載された事項に基いて、当業者が容易に発明できたものではないから、本願発明３及び４も、引用発明１及び引用文献２に記載された事項に基いて、当業者が容易に発明できたものであるとはいえない。
４　本願発明５について
（１）対比
　本願発明５は、本願発明１の「牛の第一胃鼓脹症検出方法」の発明を、対応する「システム」の発明とし、さらに「前記無線センサ端末より送信された前記測定データを受信するとともに該受信データをデータ管理手段へ送信する中継手段と、
　前記中継手段より送信された前記測定データを処理するデータ処理手段と」という構成を加えたものである。
　本願発明５と上記１（１）イに認定した引用発明１−２とを対比すると、引用発明１−２が引用発明１−１の部分において有する「ボーラス３１０からの無線送信を受信して、基地局４０に再送信する無線中継器６０、６２」、及び「基地局４０が含むコンピュータ装置４２であり、ボーラス３１０が送信した牛の特性のメッセージを、１又は複数の格納された動物プロファイルと比較し、牛の健康状態を検出する、コンピュータ装置４２」は、それぞれ本願発明５の上記付加的構成における、「前記無線センサ端末より送信された前記測定データを受信するとともに該受信データをデータ管理手段へ送信する中継手段」、及び「前記中継手段より送信された前記測定データを処理するデータ処理手段」に、相当する。
　引用発明１−２と、本願発明５において、方法の発明である本願発明１に対応する部分との対比については、上記２（１）において示したと同様である。
　
  以上より、本願発明５と引用発明１−２とは、次の点で一致する。
「略筒形状で、位置変化を検出できる変位検出手段及び該変位検出手段の測定データを無線送信する無線送信手段を備え、牛への経口投与により胃内に留置させる経口投与型の無線センサ端末と、
　前記無線センサ端末より送信された前記測定データを受信するとともに該受信データをデータ管理手段へ送信する中継手段と、
　前記中継手段より送信された前記測定データを処理するデータ処理手段と、を備え、
　前記測定データとして、変位検出手段の測定データを取得し、該変位検出手段の測定データから、胃と関連する健康状態を検出する、牛の健康状態を検出するシステム。」
　一方、本願発明５と引用発明１−２とは、以下の点で相違する。　
＜相違点１’＞
　本願発明５では、無線センサ端末の密度が、「重量密度１．８〜８．０ｇｆ／ｃｍ３」と特定されているのに対し、
　引用発明１−２では、ボーラス３１０の密度が、「牛の第一胃又は第二胃に留まることが可能な密度」であるものの、「重量密度１．８〜８．０ｇｆ／ｃｍ３」に相当する密度であるか否かが不明である点。
＜相違点２’＞
　検出する症状、及びそのためにシステムが採用する検出手法に関して、
　本願発明５では、「第一胃鼓脹症検出システム」であり、無線センサ端末を牛の「第一胃」内に留置させ、「測定データとして、前記無線センサ端末の長軸方向と略一致する軸方向における第一胃内での位置変化を経時的に表す波形」の「変動を検知」することによって「第一胃鼓脹症の発症の有無」を検出することが特定されているのに対し、
　引用発明１−２では、実質的に円筒形の筐体外殻３０５を有するボーラス３１０が備える三軸加速度計３２１が示す、牛の第一胃又は第二胃の収縮頻度の変化及び／又は減少から、牛がもはや餌を食べていないか一時的に餌を食べていない際の健康状態を指す”オフ−フィード”であることを検出するものの、「無線センサ端末の長軸方向と略一致する軸方向における第一胃内での位置変化を経時的に表す波形」の「変動」から「第一胃鼓脹症の発症の有無」を検出していない点。
（２）判断
　事案に鑑み、上記相違点２’について判断する。
　上記相違点２’は、引用発明１−１と本願発明１との相違点２と実質的に同一である。
　そして、上記２（２）において相違点２について判断したと同様に、相違点２’に係る本願発明５の構成は、引用発明１−２に基いて、引用文献２に記載された事項を考慮しても、本願出願前に当業者が容易に想到することができたとはいえない。　
　したがって、上記相違点１’についての判断を要することなく、本願発明５は、当業者であっても、引用発明１及び引用文献２に記載された事項に基いて、容易に発明できたものであるとはいえない。　
第５　原査定について　
　本願発明１ないし５は、前記第４で検討したとおり、当業者であっても、原査定において引用された引用文献１ないし２に記載された発明に基いて、容易に発明できたものとはいえない。
　したがって、原査定の理由を維持することはできない。　
 第６　むすび　
　以上のとおり、原査定の理由によっては、本願を拒絶することはできない。　
　また、他に本願を拒絶すべき理由を発見しない。　
　よって、結論のとおり審決する。